(57)【特許請求の範囲】
【請求項１】
映像信号と同期信号とが入力される第１のモジュールと、
前記第１のモジュールから出力される映像信号が入力され、当該映像信号を時分割する機能を有し分割数を１以上の任意の数から選択する第２のモジュールと、
前記第１のモジュールから出力される同期信号が入力され、クロック信号を出力する第３のモジュールと、
前記第１乃至第３のモジュールに対して共通のバスラインを有するメインフレームとを有し、
前記バスラインには、前記第１のモジュールから出力される同期信号が入力され、
前記第２のモジュールから出力される映像信号と、前記第３のモジュールから出力されるクロック信号とをマトリクス表示装置の駆動信号として出力し、
前記第１乃至第３のモジュールは、前記メインフレームに挿入されていることを特徴とするマトリクス表示装置の駆動信号を発生させる装置。
【請求項２】
映像信号と同期信号とが入力される第１のモジュールと、
前記第１のモジュールから出力される映像信号が入力され、当該映像信号を時分割する機能を有し分割数を１以上の任意の数から選択する第２のモジュールと、
前記第１のモジュールから出力される同期信号が入力され、クロック信号を出力する第３のモジュールと、
前記第１乃至第３のモジュールに対して共通のバスラインを有するメインフレームとを有し、
前記バスラインには、前記第１のモジュールから出力される同期信号が入力され、
前記第２のモジュールから出力される映像信号と、前記第３のモジュールから出力されるクロック信号とをマトリクス表示装置の駆動信号として出力し、
前記メインフレームは、箱状であり、
前記第１乃至第３のモジュールは、箱状の前記メインフレームに挿入されていることを特徴とするマトリクス表示装置の駆動信号を発生させる装置。
【請求項３】
請求項１または請求項２において、
前記メインフレームは電源を有し、
前記第１乃至第３のモジュールそれぞれは前記電源に接続されていることを特徴とするマトリクス表示装置の駆動信号を発生させる装置。
【請求項４】
請求項１乃至請求項３のいずれか一項において、
前記第２のモジュールは、ドット・シーケンサー回路を有し、
前記ドット・シーケンサー回路の設定を変更することによって、前記分割数を変更することを特徴とするマトリクス表示装置の駆動信号を発生させる装置。
【請求項５】
請求項１乃至請求項４のいずれか一項において、
前記第１乃至第３のモジュールとは異なるモジュールを有し、
当該モジュールが前記メインフレームに挿入されていることを特徴とするマトリクス表示装置の駆動信号を発生させる装置。
【請求項６】
映像信号と同期信号とが入力される第１のモジュールと、
前記第１のモジュールから出力される映像信号が入力され、当該映像信号を時分割する機能を有し分割数を１以上の任意の数から選択する第２のモジュールと、
前記第１のモジュールから出力される同期信号が入力され、クロック信号を出力する第３のモジュールと、
前記第１のモジュールから出力される映像信号が前記第２のモジュールを介して入力され、当該映像信号を時分割する機能を有し分割数を１以上の任意の数から選択する第４のモジュールと、
前記第１乃至第４のモジュールに対して共通のバスラインを有するメインフレームとを有し、
前記バスラインには、前記第１のモジュールから出力される同期信号が入力され、
前記第２のモジュールから出力される映像信号と、前記第４のモジュールから出力される映像信号と、前記第３のモジュールから出力されるクロック信号とをマトリクス表示装置の駆動信号として出力し、
前記第１乃至第４のモジュールは、前記メインフレームに挿入されていることを特徴とするマトリクス表示装置の駆動信号を発生させる装置。
【請求項７】
映像信号と同期信号とが入力される第１のモジュールと、
前記第１のモジュールから出力される映像信号が入力され、当該映像信号を時分割する機能を有し分割数を１以上の任意の数から選択する第２のモジュールと、
前記第１のモジュールから出力される同期信号が入力され、クロック信号を出力する第３のモジュールと、
前記第１のモジュールから出力される映像信号が前記第２のモジュールを介して入力され、当該映像信号を時分割する機能を有し分割数を１以上の任意の数から選択する第４のモジュールと、
前記第１乃至第４のモジュールに対して共通のバスラインを有するメインフレームとを有し、
前記バスラインには、前記第１のモジュールから出力される同期信号が入力され、
前記第２のモジュールから出力される映像信号と、前記第４のモジュールから出力される映像信号と、前記第３のモジュールから出力されるクロック信号とをマトリクス表示装置の駆動信号として出力し、
前記メインフレームは、箱状であり、
前記第１乃至第４のモジュールは、箱状の前記メインフレームに挿入されていることを特徴とするマトリクス表示装置の駆動信号を発生させる装置。
【請求項８】
請求項６または請求項７において、
前記メインフレームは電源を有し、
前記第１乃至第４のモジュールそれぞれは前記電源に接続されていることを特徴とするマトリクス表示装置の駆動信号を発生させる装置。
【請求項９】
請求項６乃至請求項８のいずれか一項において、
前記第２のモジュール及び前記第４のモジュールそれぞれは、ドット・シーケンサー回路を有し、
前記ドット・シーケンサー回路の設定を変更することによって、前記分割数を変更することを特徴とするマトリクス表示装置の駆動信号を発生させる装置。
【発明の詳細な説明】
【０００１】
【発明が属する技術分野】
本明細書で開示する発明は、さまざまな形式、表示容量、表示方法のマトリクス型の表示装置（例えば、アクティブマトリクス型液晶表示装置）を駆動するための信号を発生させるのに適した装置の構成に関する。
【０００２】
【従来の技術】
近年、各種マトリクス表示装置が知られている。良く知られているのは液晶表示装置で、単純（パッシブ）マトリクス表示装置やアクティブマトリクス表示装置がこれに含まれる。これらは外部より映像信号とクロック（同期）信号を入力することにより表示をおこなうことができる。しかしながら、信号の形式には、表示装置に応じて様々な形式があり、それに応じて通常の映像信号を加工して、入力することが必要であった。この点が、従来の典型的な表示装置である陰極線管（ＣＲＴ）と大きく異なる点である。
【０００３】
例えば、アクティブマトリクス型表示装置を例に取って説明する。図１０は、基板８１上にアクティブマトリクス部分８４と、データドライバ回路８２、スキャンドライバ回路８３を有する、これらの回路が基板上の同一平面に形成されている場合はモノリシック型アクティブマトリクス表示装置である。しかし、ドライバ回路が半導体チップによって形成されていても本発明の説明においては同じである。
【０００４】
図１０（Ａ）に示す構造のものは、最も単純なモノクロ表示のもので、入力端子として同期信号入力（ＣＬＯＣＫ  ＩＮ）とビデオ信号入力（ＶＩＤＥＯ  ＩＮ）を有する。通常のモノクロＣＲＴと同様である。（図１０（Ａ））
また、カラー表示のものであれば、図１０（Ｂ）に示すように、同期信号入力（ＣＬＯＣＫ  ＩＮ）と三原色に対応したビデオ信号入力（ＶＩＤＥＯ  ＩＮＢ、Ｇ、Ｒ）を有する。これも、通常のカラーＣＲＴと同様である。（図１０（Ｂ））
【０００５】
しかしながら、マトリクス表示装置においては、是以外の入力端子を有し、したがって、異なる駆動信号を必要とするものがある。
例えば、図１１（Ａ）に示す構造のものは、モノクロ表示のものであるが、入力端子として同期信号入力（ＣＬＯＣＫ  ＩＮ）と第１乃至第４ビデオ信号入力（ＶＩＤＥＯ  ＩＮ  １〜４）を有する。通常のＣＲＴではモノクロ表示の場合のビデオ信号の入力は１つだけであるが、マトリクス表示装置では、信号の処理速度を低下させる目的から、このようにビデオ信号を複数に分割して、同時に入力することがある。（図１１（Ａ））
【０００６】
また、図１１（Ｂ）に示す構造のものは、やはりモノクロ表示のものであるが、入力端子として第１および第２の同期信号入力（ＣＬＯＣＫ  ＩＮ  １  および２）とビデオ信号入力（ＶＩＤＥＯ  ＩＮ）を有する。通常のＣＲＴでは同期信号の入力は１つだけであるが、マトリクス表示装置では、信号の処理速度を低下させる目的から、このように同期信号も位相をずらして複数用い、それぞれに対応した信号処理回路（例えば、シフトレジスタ８６と８７）を設けることがある。（図１１（Ｂ））
【０００７】
そして、同様に、シフトレジスタを２系統有し、映像信号を４分割するカラー表示のマトリクスは図１１（Ｃ）に示すように第１および第２の同期信号入力（ＣＬＯＣＫ  ＩＮ  １  および２）と三原色それぞれに第１乃至第４ビデオ信号入力（ＶＩＤＥＯ  ＩＮ  Ｒ１〜４、Ｇ１〜４、Ｂ１〜４）を有する。（図１１（Ｃ））
【０００８】
例えば、シフトレジスタを２系統有し、８分割されたビデオ信号によって表示するマトリクス表示装置のデータドライバは図１２で示されるような構造を有する。そして、シフトレジスタＡ１、同Ｂ１から出力されるパルス信号（アナログサンプルホールドを駆動する）と、分割される前のビデオ信号、および、分割された後の第１、第４および第９ビデオ信号線に入力される信号は図１３に示されるようになる。（図１２、図１３）
【０００９】
【発明が解決しようとする課題】
このように、マトリクス表示装置においては、回路の構成等によって、さまざまな表示方法が要求される。そして、このような多様な表示方法（すなわち、駆動信号）が存在するために、様々なマトリクス表示装置の検査をおこなう際には、マトリクス表示装置ごとに駆動信号を発生させる回路を作り変える必要があった。例えば、図１０（Ａ）に示す表示装置に適した駆動信号では、図１１（Ａ）や図１１（Ｂ）に示す表示装置を駆動して正常な表示はできない。
【００１０】
しかしながら、マトリクス表示装置ごとに駆動回路を作ることは、時間と費用がかかり、効率的な作業を妨げるものである。本発明は以上の点を鑑みてなされたものであり、マトリクス表示装置において、必要とする駆動信号を簡単に変更できる装置を提供することを目的とする。
【００１１】
【課題を解決するための手段】
本明細書で開示する発明は、マトリクス表示装置を駆動するための信号を少なくとも以下の３つのモジュールを用いて発生することを特徴とする。すなわち、
映像信号と同期信号を入力する第１のモジュール（入力モジュール）
映像信号を時分割する第２のモジュール（映像信号モジュール）
クロック信号を発生させる第３のモジュール（クロックモジュール）
である。
【００１２】
これらのモジュールはそれぞれ独立したものである。さらに、第２のモジュールにおいては、映像信号の分割数を任意に設定できることを特徴とする。そのためには、この設定を制御するチップ（シーケンサーチップ）を交換したり、あるいは、ＥＰＲＯＭ、ＥＥＰＲＯＭ等の書換え可能な半導体素子を用いたプログラマブルなチップを用いればよい。さらには、第３のモジュールのクロック信号も出力位相も変更可能としてもよい。
【００１３】
以上のモジュールを組み合わせることにより、様々な駆動信号を発生させることができる。さらに、その他の機能を有するモジュールを付加してもよい。例えば、映像信号を、初期設定された上方に合わせて補正するモジュール（補正モジュール、例えば、γ補正モジュール）や、コンピュータとの接続のためのインターフェイス（インターフェイスモジュール）の機能を果たすモジュール、外部からのコントロール信号を入出力するモジュール（コントロールモジュール）、オシロスコープ等の検査回路に接続するためのモジュール（トリガーモジュール）等である。
【００１４】
これらのモジュールは図２に示すようにメインフレーム１に挿入して使用できるようにすると、配線が容易である。図１には、メインフレーム１に様々なモジュールが挿入された様子を示す。すなわち、左からコントローラモジュール２、インターフェイスモジュール３、γ補正モジュール４〜６、入力モジュール７、映像モジュール８、クロックモジュール９、映像モジュール１０、クロックモジュール１１、映像モジュール１２、クロックモジュール１３、トリガーモジュール１４である。（図１、図２）
【００１５】
メインフレームは、各モジュールの背部と接続ピンを有し、例えば、各モジュール共通の電源や共通のバスライン（特にクロック分配、タイミング同期信号）が設けられている。
もちろん、使用時においては、メインフレームが常にモジュールで埋まっている必要はなく、例えば、図３に示すように、左から入力モジュール２２、映像モジュール２３、２４、クロックモジュール２５、映像モジュール２６、２７、クロックモジュール２８、映像モジュール２９、３０がメインフレーム２１に挿入され、入力モジュールの左側には何も挿入されていない状態であってもよい。（図３）
以下に実施例を示し、より詳細に本発明を説明する。
【００１６】
【実施例】
〔実施例１〕  本発明においては、発生させる駆動信号に応じてモジュールを使用する。本発明の代表的なモジュールである、入力モジュール、映像モジュール、クロックモジュールの正面の例を図４に示すが、もちろん、これ以外の形式であってもよい。
【００１７】
入力モジュールは、図４（Ａ）に示すように、三原色に対応した映像出力端子３１〜３３、クロック入力３４、水平同期入力３５、垂直同期入力３６、三原色に対応した映像入力３７〜３９を有する。モノクロ信号の場合には、映像入力３７〜３９のうちの１つに映像信号を入力し、それに対応する映像出力３１〜３３から出力させればよい。（図４（Ａ））
【００１８】
映像モジュールは、図４（Ｂ）に示すように、映像通過出力端子４０、映像入力端子４１、コントローラ出入力端子４２、映像出力端子４３を有する。映像通過出力端子は、モジュールに入力された信号をそのまま出力して、他のモジュールに接続するための端子である。コントローラ出入力端子はコントローラモジュールと接続するための端子である。さらに、映像出力端子からは時分割された映像信号が出力される。この端子は多ピン端子となっている。（図４（Ｂ））
【００１９】
クロックモジュールは、図４（Ｃ）に示すように、コントローラ出入力端子４４、クロック映像出力端子４５を有する。クロック出力端子からは、位相の異なるクロック信号が出力され、そのためにこの端子は多ピン端子となっている。例えば、第１の配線からは基本クロックが、第２の配線からは半周期位相のずれたクロックが、第３の配線からは１／４周期位相のずれたクロックが、第４の配線からは３／４周期位相のずれたクロックが出力される。（図４（Ｃ））
【００２０】
映像モジュールの回路ブロックを図７に示す。このうち、ＥＳＩＭＩ−０１７とＥＳＩＭＩ−０１８−ＱＶＳＨの回路構成を、図８と図９にそれぞれ示す。映像モジュールでは、１モジュールでビデオ信号を最大８分割する。ドット・シーケンサー回路（Ｄｏｔ  Ｓｅｑｕｅｎｃｅ）の設定を変更することにより、分割数を１〜８まで変更でき、また、映像モジュールを２段接続して、最大１６分割することも可能であり、映像モジュールを３段以上接続して、より多くの分割をおこなうことも可能である。（図７〜図９）
【００２１】
図５には、メインフレーム５１における本発明のモジュールの１接続例を示す。この例では、入力モジュール５２、クロックモジュールを各１つ、映像モジュールを三原色に対応して３つ（５３〜５５）用いる。そして、入力モジュールの三原色の端子と各映像モジュールを接続する。その結果、出力配線は三原色の映像出力配線５６、５８、５９とクロック出力配線５７の計４本である。
【００２２】
上記のような構成によって処理された駆動信号は図１０（Ｂ）、図１１（Ｃ）で示されるカラー表示装置を駆動できる。その際、図１０（Ｂ）の表示装置を駆動するには、映像の分割をしないように、また、図１１（Ｃ）の表示装置を駆動するには、映像を４分割するように、映像モジュールのドット・シーケンサー回路の設定を変更する。（図５）
【００２３】
〔実施例２〕  図６には、メインフレーム６１における本発明のモジュールの１接続例を示す。この例では、入力モジュール６２、クロックモジュール６３を各１つ、映像モジュールを計６つ（６４〜６９）用いる。入力モジュールの三原色の端子と各映像モジュールのうち、６４、６６、６８を接続する。さらに、これらの映像モジュール６４、６６、６８の映像出力通過端子と、別の映像モジュール６５、６７、６９を接続する。これは、映像信号を１６分割するためであり、そのために各映像モジュールのドット・シーケンサー回路の設定を変更する。出力配線は三原色の映像出力配線７１〜７３とクロック出力配線７０の計４系統である。（図６）
【００２４】
【発明の効果】
本発明により、さまざまな方式のマトリクス表示装置を駆動するための信号が最小限の変更によって容易に得ることができる。このように本発明は産業上、有益である。
【図面の簡単な説明】
【図１】  本発明のメインフレームおよびモジュールの例を示す。
【図２】  本発明のメイフレームとモジュールの装着について示す。
【図３】  本発明のメインフレームおよびモジュールの例を示す。
【図４】  実施例１の入力モジュール、映像モジュール、クロックモジュールの正面の様子を示す。
【図５】  実施例１の各モジュールの接続例を示す。
【図６】  実施例２の各モジュールの接続例を示す。
【図７】  実施例１の映像モジュールの回路ブロック図を示す。
【図８】  実施例１の映像モジュールに用いられている回路例を示す。
【図９】  実施例１の映像モジュールに用いられている回路例を示す。
【図１０】マトリクス表示装置の入力端子、ドライバ等の配置を示す。
【図１１】マトリクス表示装置の入力端子、ドライバ等の配置を示す。
【図１２】マトリクス表示装置のデータドライバ回路の概要を示す。
【図１３】データドライバ回路に用いる信号の例を示す。
【符号の説明】
１                    メインフレーム
２                    コントローラモジュール
３                    インターフェイスモジュール
４〜６                γ補正モジュール
７                    入力モジュール
８、１０、１２        映像モジュール
９、１１、１３        クロックモジュール
１４                  トリガーモジュール
２１                  メインフレーム
２２                  入力モジュール
２３、２４、２６      映像モジュール
２７、２９、３０      映像モジュール
２５、２８            クロックモジュール
５１                  メインフレーム
５２                  入力モジュール
５３、５４、５５      映像モジュール
５６、５８、５９      映像出力配線
５７                  クロック出力配線
６１                  メインフレーム
６２                  入力モジュール
６４〜６９            映像モジュール
６３                  クロックモジュール
７１〜７３            映像出力配線
７０                  クロック出力配線
８１                  基板
８２                  データドライバ回路
８３                  スキャンドライバ回路
８４                  マトリクス回路
８６、８７            シフトレジスタ
【図１】
0003776539.tif 000002
【図２】
0003776539.tif 000003
【図３】
0003776539.tif 000004
【図４】
0003776539.tif 000005
【図５】
0003776539.tif 000006
【図６】
0003776539.tif 000007
【図７】
0003776539.tif 000008
【図８】
0003776539.tif 000009
【図９】
0003776539.tif 000010
【図１０】
0003776539.tif 000011
【図１１】
0003776539.tif 000012
【図１２】
0003776539.tif 000013
【図１３】
0003776539.tif 000014